(57)【特許請求の範囲】
【請求項１】
少なくとも１個の太陽電池（１０）を有する太陽電池発電装置の電子的管理システムであって、  並列接続された複数のｎ個の静電変換器（１１、１２、１３）を備え、前記静電変換器（１１、１２、１３）はそれぞれ、少なくとも１個の太陽電池（１０）に選択的かつ電気的に接続するよう構成され、  接続される静電変換器の数は、太陽光発電による電力の変化に従い、該電力の値と、しきい値Ｐ１、Ｐ２、・・・Ｐｎ−１とを比較することにより選択され、  測定された電力値がＰｉ−１とＰｉとの間である第１の接続条件が満たされるとき、ｎ個のうちｉ個の静電変換器が接続され、測定された電力値がＰｎ−１よりも大きい第２の接続条件が満たされるとき、ｎ個の静電変換器すべてがそれぞれ接続され、  前記太陽光発電による電力の変化または振動を無視するために、前記第１の接続条件または前記第２の接続条件が依然として満たされているとき、前記静電変換器の数の変化は、遅延時間ｔが経過した後にのみ実行され、  前記遅延時間ｔの値は、前記静電変換器の素子の状態に依存、または前記太陽電池発電装置の設置場所及び季節から選択される気象上の条件に依存することを特徴とする電子的管理システム。    
【請求項２】
ｎ個が３個である請求項１記載の電子的管理システム。    
【請求項３】
遅延時間ｔは、３分から２０分である請求項１又は２に記載の電子的管理システム。    
【請求項４】
前記静電変換器が交互で接続される請求項１〜３のいずれか１項に記載の電子的管理システム。    
【請求項５】
静電変換器の連続的な使用を防止するために、使用する静電変換器の選択を、使用している静電変換器の数が変化する際に行うようにした請求項４に記載の電子的管理システム。    
【請求項６】
使用する前記静電変換器の選択を、該静電変換器の素子の状態に応じて行うようにした請求項４又は５に記載の電子的管理システム。    
【請求項７】
−少なくとも１個の太陽電池、及び  −請求項１〜６のいずれか１項に記載の電子的管理システム  を含む太陽電池発電装置。    
【請求項８】
−少なくとも１個の太陽電池と、  −太陽電池の電子的管理システムとを含む太陽電池発電装置の制御方法であって、    −前記太陽電池発電装置は、それぞれが、前記少なくとも１個の太陽電池（１０）に選択的かつ電気的に接続された、並列接続された複数のｎ個の静電変換器（１１、１２、１３）を含み、    −前記制御方法は、太陽電池の電子的管理システムによって実行され、      −前記少なくとも１個の太陽電池により発生する電力の値に対応する電力値を測定する工程と、      −少なくとも１個の前記太陽電池により発生する電力と太陽光発電による電力のピーク電力とを比較する工程と、      −少なくとも１個の前記太陽電池により発生する電力に対応する前記測定した電力値と、ピーク電力の所定の割合に対応するしきい値Ｐ１、Ｐ２、Ｐｎ−１とを比較する工程と、      −複数の中から選択された数の静電変換器の接続を確立する工程であって、測定された電力値がＰｉ−１とＰｉとの間である第１の接続条件が満たされるとき、ｎ個のうちｉ個の静電変換器の接続を確立する工程と、測定された電力値がＰｎ−１よりも大きい第２の接続条件が満たされるとき、ｎ個の静電変換器すべての接続を確立する工程とを含み、  前記第１の接続条件または前記第２の接続条件が依然として満たされているとき、遅延時間ｔが経過した後にｉ個の静電変換器の接続が実行され、  前記遅延時間ｔの値は、前記静電変換器の素子の状態に依存、または前記太陽電池発電装置の設置場所及び季節から選択される気象上の条件に依存することを特徴とする太陽電池発電装置の制御方法。    
【請求項９】
前記制御方法は、  −前記少なくとも１個の太陽電池で発生する電力の値に対応する電力値を測定する工程と、  −前記測定した電力値と第１のしきい値Ｐ１とを比較する工程を含み、  （ａ）前記測定した電力値が、前記第１のしきい値Ｐ１より小さい場合は、単一の静電変換器を接続し、  （ｂ）前記測定した電力値が、前記第１のしきい値Ｐ１より大きい場合は、比較を第２のしきい値Ｐ２との間で行い、  （ｂ１）前記測定した電力値が、前記第２のしきい値Ｐ２より小さい場合は、２個の静電変換器を接続し、  （ｂ１１）次いで前記測定した電力値と前記第１のしきい値Ｐ１とを比較し、前記測定した電力値がこの第１のしきい値Ｐ１より高い場合は、前記工程（ｂ）に戻り、前記測定した電力値が前記第１のしきい値Ｐ１より低い場合には、遅延時間ｔを選択し、  （ｂ１２）遅延時間が選択されると、再度前記測定した電力値と前記第１のしきい値Ｐ１との比較を行い、電力値が前記第１のしきい値Ｐ１より高い場合は、遅延時間をリセットしてから工程（ｂ）に戻り、前記測定した電力値が前記第１のしきい値Ｐ１より小さい場合は、遅延時間を終了させるか否かを決定し、そうでなければ前記測定した電力値と前記第１のしきい値Ｐ１との比較を再開し、  （ｂ１３）遅延時間が終了すると、工程（ａ）に戻り、  （ｂ２）前記電力が前記第２のしきい値Ｐ２より大きい場合は、３個の静電変換器を接続し、  （ｂ２１）次いで前記測定した電力値と前記第２のしきい値Ｐ２との比較を行い、前記測定した電力値がこの第２のしきい値Ｐ２より高い場合は、工程（ｂ２）に戻り、前記測定した電力値がこの第２のしきい値Ｐ２より低い場合は、遅延時間を選択し、  （ｂ２２）遅延時間が選択されると、前記測定した電力値と再度前記第２のしきい値Ｐ２とを比較し、前記測定した電力値が前記第２のしきい値Ｐ２より高いと、遅延時間をリセットした後に、工程（ｂ２）に戻り、前記測定した電力値が前記第２のしきい値Ｐ２より低い場合は、遅延時間を終了させるか否かを決定し、そうでなければ前記第２のしきい値Ｐ２との比較を再開し、  （ｂ２３）遅延時間が終了する場合は、工程（ａ）又は工程（ｂ）に戻す、  ことを周期ごとに行い、  ｎ個の静電変換器について各工程を繰り返す、請求項８に記載の制御方法。    
【請求項１０】
接続されていない静電変換器が存在する場合は、ｉ番目の静電変換器が接続されておらず、他の静電変換器が接続されている請求項８又は９に記載の制御方法。    
【請求項１１】
−少なくとも１個の第１の静電変換器を接続する工程、  −より多くの数の静電変換器を接続する工程を含み、  −前記より多くの数の静電変換器よりも少ない数の静電変換器を接続する場合に、前記第１の静電変換器を接続しない請求項１０に記載の制御方法。    
【請求項１２】
測定した電力値がＰｉ−１とＰｉの間で変化する際に、使用する静電変換器の選択の工程が実行される請求項１０又は１１に記載の制御方法。    
【請求項１３】
各静電変換器の使用期間及び／又は使用数を決定する工程、  静電変換器を、使用期間及び／又は使用数が、一定期間、各静電変換器間で、ほぼ等しくなるよう接続する工程、  を含む請求項１０〜１２のいずれか１項に記載の制御方法。    
【請求項１４】
請求項８〜１３のいずれか１項に記載の方法による、請求項７に記載の太陽電池発電装置の制御方法。    
【発明の詳細な説明】
【技術分野】
【０００１】
本発明は、太陽電池発電装置の分野、より詳細には、電子システムを一体化した太陽電池モジュールに関し、このタイプのモジュールは、太陽電池発電装置と、太陽電池の電子的管理システムを含んでいる。
【背景技術】
【０００２】
公知の太陽電池発電装置（ＰＶＧ）は、１個の又は直列又は並列接続された2個以上の太陽電池（ＰＶ）を備えている。無機物質の場合、太陽電池は、実質的に、半導体物質を主とする（ｐｎ又はｐｉｎ接合）ダイオードを備えている。この物質は、光エネルギを吸収する性質を有し、前記光エネルギの大部分は電荷キャリア（電子及び孔）に変換される。通常ドーピングされていない領域（ｐｉｎ接合の「ｉ」で特定される真性領域）で隔てられた、Ｎ型及びＰ型の２種類の領域のドーピングにより構成されている（ｐｎ又はｐｉｎ接合）ダイオードは、電荷キャリアを分離して、太陽電池の電極を通して集める。太陽電池が供給できる、最大ポテンシャル差（開回路、ＶＯＣ）と最大電流（短絡電流、ＩＣＣ）は、前記電池を構成する材料と、この電池の周囲の条件（スペクトル強度による照度及び温度等）の両者によって決定される。有機物の場合、前記モデルはかなり異なってくる。エキシトンとして知られる電子−孔ペアが生成する、ドナー及びアクセプタの観念についての言及が必要になる。その目的は同じで、電荷キャリアを分離し、かつ集めて電流を作り出すことである。
【０００３】
図１は、公知の太陽電池発電装置の概略図である。多くの太陽電池発電装置は、直列及び／又は並列に接続された太陽電池を備える少なくとも１枚のパネルを備えている。複数のグループの電池を直列接続して、前記パネルの全電圧を増加させることができ、また複数のグループの電池を並列接続して、システムで提供する強度を増加させることができる。同様にして、複数のパネルを直列又は並列に接続して、用途に応じて、前記発電装置の電圧及び／又は電流を増加させることができる。
【０００４】
図１は、各ブランチが３群の電池２を含む２本の並列ブランチを備える太陽電池発電装置を示す。太陽電池発電装置の電気的安全性を確保するために、ノンリターンダイオード３及びバイパスダイオード４を設けても良い。前記ノンリターンダイオード３は、前記発電装置の各並列ブランチに直列接続されて、負荷や発電装置の他のブランチからの負電流が電池内を流れることを防止する。前記バイパスダイオード４は、前記電池群２に逆並列に接続されている。該バイパスダイオード４は、欠陥やシャドウイングを示す電池群２を分離して、ホットスポットの問題を解決できる。
【０００５】
前記発電装置の最大電圧は、各電池の電圧の合計であり、前記発電装置が伝達できる最大電流は、各電池の最大電流の合計である。電池の最大電圧ＶＯＣは、電池に負荷が接続されていないとき、つまり電流が伝達されていないとき（開回路）に到達し、電池の最大電流ＩＣＣは、その端子が短絡されているとき、つまり電池の端子の電圧がゼロであるときに到達する。最大値ＶＯＣ及びＩＣＣは、太陽電池を作動させるために使用される技術及び物質に依存する。電流の最大値ＩＣＣは、電池の日射量のレベルにも大きく依存する。このように、太陽電池は、非直線的電流／電圧特性、及び最適電圧値Ｖopt及び最適電流値Ｉoptに対応する最大出力点（ＭＰＰ）を有する電力特性を示す。図２は、その最大出力点（図中、ＰＰＭで示す）とともに、太陽電池の電流／電圧（ＩＰＶ、ＶＰＶ）及び電力／電圧（ＰＰＶ、ＶＰＶ）特性を示す。同様に、太陽電池発電装置は、非直線状の電流／電圧特性及び最大出力点を有する出力特性を示す。電池の一部が遮蔽されると、あるいは一群の電池のうちの１又は２以上が不完全であると、この群の最大出力点ＭＰＰは変化する。
【０００６】
最大電力点追従制御（ＭＰＰＴ）として知られる最大出力を求めるためのコマンドを使用して、太陽電池発電装置の動作を最適化することは公知である。このタイプのＭＰＰＴコマンドは、用途に応じて、直流／交流（ＤＣ／ＡＣ）変換器や直流／直流（ＤＣ／ＤＣ）変換器である、１又は２以上の静電変換器を使用して行われる。図１は、発電装置の出力に接続され、発電装置の全電池により生産され、かつ負荷へ伝達される電気エネルギを集めるＤＣ／ＡＣ静電変換器を示している。負荷に応じて、前記変換器は、出力電圧を増加又は減少させ、及び／又は出力電圧を反転させる。図１は、変換器８を使用するＭＰＰＴコマンド６の生成を示している。
【０００７】
ＭＰＰＴコマンド６は、前記変換器８を制御し、出力特性の最大点に対応する、太陽電池発電装置（ＰＶＧ）の最適電圧値Ｖoptに対応する入力電圧を得るように設計されている。最大出力点は、特に、日射の存在、電池の温度や劣化、動作状態にある電池の数などの複数のパラメータの経時変化に依存する。
【０００８】
これにより、太陽電池発電装置の出力は、電池の誤作動やシャドウイングにより大きく悪影響を及ぼされることがなくなる。発電装置の電気的出力は、各太陽電池の状態に直接依存する。
【０００９】
太陽電池発電装置で伝達される電力は、日射量の関数として変化する。１個ではなく、２個又はそれ以上の変換器を使用して電力を生じさせる。その際には、ＰＶＧで生成される電力の変化の関数として所定数の変換器を適合させる。実際、単一の変換器を使用することは、出力変換を管理するために必ずしも有利ではなく、変換出力が逆影響を受けることがある。ＰＶ電力供給が最大であると、単一フェーズ（あるいは単一変換器）により構成される出力は減少し、他方３個の変換器を有する構造は、伝達されるＰＶ電力にかかわらず、出力を実質的に一定に維持する傾向がある。これにより、バッテリにより大きなエネルギを伝達できることになる。
【００１０】
図３は、ＰＶ電池の出力に、３個のＣＳ（この場合、ＢＯＯＳＴ変換器）を有する構成を示している。これらの変換器は、デバイスのピーク電力（Ppeak）に関連する発電装置の電力の関数として作動させられる。公知の通り、１個のＣＳを使用すると、ＰＶＧにより伝達される電力は、Ppeakの１／３に等しいか、それ未満であり、２個のＣＳを使用すると、ＰＶＧにより伝達される電力は、Ppeakの１／３と２／３の間であり、３個のＣＳを使用すると、伝達される電力は、Ppeakの２／３を超える。
【００１１】
気象上の変化が起こると、ＰＶＧが生成する電力が変化するため、関連する変換器数は変化する。これらの変化は、１日の中でも、更にＰＶＧの耐用年数の間に多数回起こる。変化が多数回起こると、素子に、特に変換器の素子に応力が掛かり、デバイスに経時劣化が起こる。
【発明の概要】
【発明が解決しようとする課題】
【００１２】
従って、ＰＶＧの素子の経時劣化を減少させる必要がある。
【課題を解決するための手段】
【００１３】
本発明は、
太陽電池発電装置の電子的管理システムであって、
それぞれが、前記発電装置の少なくとも１個の太陽電池（１０）に電気的に接続され、互いに並列接続された複数のｎ個の静電変換器（１１、１２、１３）を備え、
接続される変換器の数の変化は、太陽光発電力の変化を通して、及び遅延時間ｔ後に、該電力と、しきい値Ｐ１、Ｐ２、・・・Ｐｎ−１を比較することにより行われる電子的管理システムを提供するものである。
【００１４】
ある態様では、遅延時間ｔは、３分から２０分、好ましくは５分から１５分である。
【００１５】
ある態様では、時間ｔの値は、変換器の素子の状態に依存する。
【００１６】
ある態様では、前記時間ｔの値は、前記発電装置の設置場所及び季節から選択される気象上の条件に依存する。
【００１７】
ある態様では、前記変換器が順に接続されている。
【００１８】
ＣＳの交換に関するこの態様に変形例では、前記変換器の交換を、使用している変換器の数が変化する際に行うようにする。
【００１９】
ＣＳの交換に関するこの態様に変形例では、前記変換器の交換を、該変換器の素子の状態に応じて行うようにする。
【００２０】
また本発明の対象は、
−少なくとも１個の太陽電池、及び
−本発明の管理システム、
を含む太陽電池発電装置である。
【００２１】
さらに本発明の対象は、
−少なくとも１個の太陽電池、
−それぞれが、前記少なくとも１個の太陽電池（１０）に電気的に接続された、並列接続された複数のｎ個の静電変換器（１１、１２、１３）を含む太陽電池発電装置の制御方法であって、
−前記少なくとも１個の太陽電池により発生する電力を決定し、かつピーク電力と比較する工程と、
−しきい値Ｐ１、Ｐ２、Ｐｎ−１と比較する工程と、
−測定した電力値がＰｉ−１とＰｉの間にある場合にｉ個の変換器を接続し、あるいは測定した電力値がＰｎ−１より大きい場合に、全ての変換器を接続する工程を含み、
−前記接続条件が依然として満足されている場合に、前記接続を遅延時間ｔ後に行うようにした、太陽電池発電装置の制御方法である。
【００２２】
本発明の方法は、ある態様では、前記方法は、
−前記少なくとも１個の太陽電池で発生する電力を決定し、かつそれをピーク電力と比較する工程と、
−しきい値Ｐ１と比較する工程を含み、
（ａ）前記値が、前記しきい値Ｐ１より小さい場合は、単一の変換器を接続し、
（ｂ）前記値が、前記しきい値Ｐ１より大きい場合は、比較を第２のしきい値Ｐ２との間で行い、
（ｂ１）前記電力がＰ２より小さい場合は、２個の変換器を接続し、
（ｂ１１）次いで第１のしきい値Ｐ１と比較し、電力値がこのしきい値より高い場合は、前記工程（ｂ）に戻り、前記値が前記しきい値Ｐ１より低い場合には、遅延時間ｔを選択し、
（ｂ１２）遅延時間が選択されると、再度前記第１のしきい値Ｐ１との比較を行い、電力値がこのしきい値より高い場合は、遅延時間をリセットしてから工程（ｂ）に戻り、前記値が前記しきい値Ｐ１より小さい場合は、遅延時間を終了させるか否かを決定し、そうでなければしきい値Ｐ１との比較を再開し、
（ｂ１３）遅延時間が終了すると、前記ルーティンは、工程（ａ）に戻り、
（ｂ２）前記電力がしきい値Ｐ２より大きい場合は、３個の変換器を接続し、
（ｂ２１）次いで第２しきい値Ｐ２との比較を行い、電力値がこのしきい値より高い場合は、前記ルーティンは工程（ｂ２）に戻り、前記値がこのしきい値Ｐ２より低い場合は、遅延時間を選択し、
（ｂ２２）遅延時間が選択されると、再度第２のしきい値Ｐ２と比較し、電力値がこのしきい値より高いと、遅延時間をリセットした後に、前記ルーティンは工程（ｂ２）に戻り、前記値が前記しきい値Ｐ２より低い場合は、遅延時間を終了させるか否かを決定し、そうでなければしきい値Ｐ２との比較を再開し、
（ｂ２３）遅延時間が終了する場合は、前記ルーティンを、工程（ａ）又は工程（ｂ）に戻すことを、周期毎に行い、かつ
必要に応じ、ｎ個の変換器について各工程を繰り返すものである。
【００２３】
本発明方法における、ＣＳ交換に関するある態様では、全ての変換器が接続されていない場合に、他の変換器の接続の間に、ｉ番目の変換器は、最早接続されない。
【００２４】
ＣＳの交換に関するこの態様の変形例では、
−少なくとも１個の第１の変換器を接続する工程と、
−より多くの数の変換器を接続する工程を含み、
−より少ない数の変換器の接続の場合に、前記第１の変換器を接続しない。
【００２５】
ＣＳの交換に関するこの態様の変形例では、
測定した電力値がしきい値Ｐｉ−１とＰｉの間で変化する際に、変換器の交換の工程が実行される。
【００２６】
ＣＳの交換に関するこの態様の変形例では、
各変換器の使用期間及び／又は使用数を決定する工程と、
変換器を、使用期間及び／又は使用数が、一定期間、各変換器間で、ほぼ等しくなるよう接続する工程を含んでいる。
【００２７】
本発明方法は、本発明の発電装置に特に適している。
【図面の簡単な説明】
【００２８】
【図１】既述の通り、従来技術の太陽電池発電装置のダイアグラムを示す。
【図２】既述の通り、太陽電池発電装置の理論的な電流／電圧曲線及び出力特性を示す。
【図３】複数の変換器（ここではＢＯＯＳＴタイプの３個の静電変換器）を含むＰＶＧのダイアグラムを示す。
【図４】時刻に応じて使用される電力とＣＳの数の変化を示す。
【図５】本発明の一態様によるアルゴリズムを示す。
【図６ａ】本発明を適用した、時刻に応じた電力曲線の１つの領域を拡大したもので、使用したＣＳ数を表示している。
【図６ｂ】本発明を適用した、時刻に応じた電力曲線の別の１つの領域を拡大したもので、使用したＣＳ数を表示している。
【図７】ＰＶ電力（ＰＰＶ）を時間の関数とした、太陽電池生産プロフィールの例を示す。
【図８】シミュレートされた電力プロフィールを示す。
【図９ａ】本発明のアルゴリズムが有る場合のＰin及びＰout値を示す。
【図９ｂ】本発明のアルゴリズムが無い場合のＰin及びＰout値を示す。
【図１０】使用した測定デバイスを示す。
【発明を実施するための形態】
【００２９】
前記図４、６ａ、６ｂ、７、８．９ａ及び９ｂでは、しきい値Ｐ１及びＰ２は、従来のように、ピーク電力Ｐpeakの１／３及び２／３であり、この場合、それぞれ２８Ｗ及び５６Ｗである。
【００３０】
本発明は、太陽電池に接続された、通常３個の、ＤＣ／ＡＣ又はＤＣ／ＤＣである複数の（電池又はフェーズ）変換器を備える太陽電池発電装置の電子的管理システムを提案するものである。前記変換器は、少なくとも１個の太陽電池に電気的に接続され、この電池で生成されるエネルギを集めて負荷へ伝達する。「負荷」という用語は、太陽電池発電装置で生成するエネルギの使用が意図される電気的なアプリケーションを意味する。下記の説明は、３個の変換器についてのものであるが、４以上の数の変換器についても、同様に適用しうるものである。下記するＣＳ（convertisseurs statiques）は、変換器（この場合、静電変換器）を意味する頭字語である。
【００３１】
公知のように、これらの変換器は、ＭＰＰＴとして知られるコマンドにより制御される。例えば、この最大電力点追従制御コマンドＭＰＰＴは、発電装置により伝達される電力の出力変化の影響を特定しかつ電力を増加させる方向に電圧変化が生じるようなアルゴリズムを実行できる。従って、このタイプのアルゴリズムは、発電装置で伝達される第１の電圧の電力を測定し、一定時間経過後に、前記第１の電圧より高い第２の電圧を印加し、次いで対応する電力を測定するか、あるいは評価する。前記第２の電圧に対応する電力が、前記第１の電圧に対応する電力より高い場合は、前記アルゴリズムの次のステップでは、より高い第３の電圧を印加する。逆の場合、印加される第３の電圧は、前記第１の電圧より低くする。従って、前記システムは、太陽電池発電装置の端子に電圧を与え続けて、最大出力点に可能な限り近似させる。ＭＰＰＴコマンド用に他のアルゴリズムを実行しても良い。
【００３２】
図３は、このタイプのシステムを示し、ＰＶＧは、ＣＳ１１、１２、１３（ＢＯＯＳＴ１、２及び３）とＭＰＰＴコマンド１４に接続された太陽電池ユニット１０を含み、前記ＣＳの出力はバッテリ１５に接続されている。
【００３３】
使用するＣＳ数は、ＣＳ方向に送られる電力の関数である。公知のように、前記数は、しきい値の検出に応じて変化する。３個のＣＳの場合、従来技術では、変換器の数変化に関する２種の予め設定したしきい値を使用する。ＭＰＰＴ管理システムにより測定される電力に応じて、つまり１／３Ｐpeak未満、Ｐpeakの１／３から２／３、及びＰpeakの２／３超に応じて、前記管理システムは、１、２又は３個の変換器を使用する。必要であれば、他のしきい値も使用できる。
【００３４】
気象条件も、勿論生成電力のレベルに影響を与える。厚い雲で太陽が遮られていると、日射が実質的に減少し、前記電力も低下し、その結果、システム中の変換器数が変化し、変換器３個が１個に減少する。変化が逆の場合、反対のことが起こる。これらの変化は、図４に例示されている。図４は、時刻に応じた生成電力と使用するＣＳ数を示している。太陽電池の用途の複数のＣＳを使用するこの構成によると、図４に示すように、操作が邪魔され、デバイスは、気候変化、従って太陽電池の電力変化に追従するために、変換器の数を頻繁にかつ迅速に変化させる。これらの迅速かつ多くの変化は、電力変換器を構成する電子素子の耐用年数及び信頼性に負の影響を与える。
【００３５】
本発明は、電力安定時間（つまり遅延時間）ｔを使用することを基礎としている。ＣＳ数の変化は、この遅延時間ｔが経過した後にのみ、実行される。従って、迅速な変化は考慮されず、振動を含むフェーズの間、ＣＳ数は同一に維持される。
【００３６】
この安定化時間ｔは、システムに応じて変化する。前記時間は、一般に３分から２０分のオーダー、例えば５分から１５分である。
【００３７】
前記安定化時間ｔのアルゴリズムは、図５に示す通りである。
【００３８】
出発点は、所定電力の状態である。第１の例では、ＰＶ電力ＰＰＶ（ＣＳのＰＩＮに相当する）が決定される。
【００３９】
この電力ＰＰＶが、第１のしきい値Ｐ１（例えば１／３に等しいとする）未満であると、このロジカル質問に対する回答は、「no」であり、単一のＣＳが使用される。当該ルーティンはスタートに戻る。前記電力ＰＰＶが、第１のしきい値Ｐ１より大きいと、前記ロジカル質問に対する回答は、「yes」であり、前記プロセスは、当該ルーティンの第２工程に進む。
【００４０】
この第２工程の間、前記電力は、第２のしきい値Ｐ２（例えば２／３に等しいとする）と比較される。この電力ＰＰＶが、第２のしきい値Ｐ２（例えば２／３に等しいとする）未満であると、このロジカル質問に対する回答は、「no」であり、２個のＣＳが使用され、当該ルーティンは、第１ブランチに従って続けられる。
【００４１】
この第１ブランチでの次のロジカル質問は、再度第１のしきい値Ｐ１との比較である。この電力ＰＰＶが、第１のしきい値Ｐ１より大きいと、このロジカル質問に対する回答は、「no」であり、当該ルーティンは第２工程のスタートに戻る。回答が「yes」であると、前記遅延時間が選択される。従来技術では、回答は必然的に１個のＣＳに推移する。本発明では、この推移は起こらず、その代わりに遅延時間が選択される。設定ピリオドに応じて、電力ＰＰＶの値を再度測定し、第１のしきい値Ｐ１と比較する。電力値が高いと、ロジカル質問に対する回答は「no」で、前記ルーティンは、第２工程のスタートに戻る。２個のＣＳが要求される条件では、再度実行される。この場合、遅延時間はリセットされる。待つことにより、２ステージ間で２種類の推移が起こることを防止し、システムの素子の疲労に関するゲインが得られる。比較の間に前記値がしきい値Ｐ１未満になると、前記ルーティンは次のロジカル質問に移る。該次のロジカル質問は、遅延時間の終了に関する質問である。
【００４２】
−その回答が否定である場合、前記ルーティンは、しきい値Ｐ１との比較である前回のロジカル質問に戻る。従って遅延時間ｔの間、電力値ＰＰＶが第１のしきい値Ｐ１より大きいと、前記システムはＣＳの数を２とし、該システムは、第２工程のロジカル質問に戻る。
【００４３】
−その回答が肯定の場合、遅延時間が終了したことを意味し、該遅延時間がリセットされ、前記ルーティンは１個のＣＳに変化し、これまでの操作が再スタートする。
【００４４】
この第２工程の間、第２のしきい値Ｐ２（例えば２／３に等しいとする）と比較する。この電力ＰＰＶが、前記第２のしきい値Ｐ２（例えば２／３に等しいとする）より大きい場合、前記ロジカル質問に対する回答は「yes」で、３個のＣＳが使用され、前記ルーティンは第２ブランチに従って続けられる。
【００４５】
前記第２ブランチでは、次のロジカル質問は、再度第２のしきい値Ｐ２との比較である。前記電力ＰＰＶが前記第２のしきい値Ｐ２より大きい場合、前記ロジカル質問に対する回答は「no」で、前記ルーティンは、第２ブランチのスタートまで戻る。回答が「yes」であれば、遅延時間が選択される。従来技術では、回答は必然的に２個（又は１個）のＣＳに推移する。本発明では、この推移は起こらず、その代わりに遅延時間が選択される。設定ピリオドに応じて、電力ＰＰＶの値を再度測定し、第２のしきい値Ｐ２と比較する。電力値が高いと、ロジカル質問に対する回答は「no」で、前記ルーティンは、第２工程のスタートに戻る。３個のＣＳが要求される条件では、再度実行される。この場合、遅延時間はリセットされる。待つことにより、２ステージ間で２種類の推移が起こることを防止し、システムの素子の疲労に関するゲインが得られる。比較の間に前記値がしきい値Ｐ２未満になると、前記ルーティンは次のロジカル質問に移る。次のロジカル質問とは、遅延時間の終了に関する質問である。
【００４６】
−その応答が否定である場合、前記ルーティンは、しきい値Ｐ２との比較である前回のロジカル質問に戻る。従って遅延時間ｔの間、電力値ＰＰＶが第２のしきい値Ｐ２より大きいと、前記システムはＣＳの数を３とし、該システムは、第２工程のロジカル質問に戻る。
【００４７】
−その回答が肯定の場合、遅延時間が終了したことを意味し、該遅延時間がリセットされ、前記ルーティンは１個のＣＳに変化し、これまでの操作が再スタートする。１個のＣＳでなく、２個のＣＳに変化させ、同じように再スタートさせることも可能で、第１ロジカル質問に対する回答は、第２のロジカル質問に導かれる。
【００４８】
ある態様では、パワーアップの間に遅延時間を選択しない。これにより、全ての電力が単一のＣＳに向かうことが防止され、ＣＳ温度が鋭く上昇する。
【００４９】
前記した設定時間は固定されていても、特に気象条件に応じて変化しても良い。日射が一定と分かっている場合は、前記ルーティンを行う必要はない。前記ピリオドは大きく変化し、数秒、数十秒、数分、必要であればそれ以上のオーダーで変化する。しかし、前記ピリオドは、前記安定化時間ｔ未満に維持することが好ましい。
【００５０】
図６ａ及び６ｂは、図４で示した曲線の２つの部分に関する、本発明のアルゴリズムを実行して使用されるＣＳ数を拡大して示す。
【００５１】
図６ａ及び６ｂは、ＣＳ２個は好ましい場合でなく、ＣＳ３個が優位であることを示している。図６ａでは、ＣＳ３個とＣＳ２個の間の変化が大部分で、多くの部分がＣＳ３個の領域である。このような場合、ＰＶＧは、３ＣＳの場合より少ない応力で作動すると考えられる。従来技術ではＣＳ２個の場合はより頻繁に行われるべきだったため、このような状況は、図６ｂで更に顕著で、一方本発明では起こらない。本発明は、ＰＶＧが２つの状態の間でスイングする、より数の多い場合に有利である。
【００５２】
この安定化時間を使用すると、これらの不要な電力変化の間に能動素子が受ける熱的及び機械的応力を減少する効果が生じる。
【００５３】
前記熱的変化は、製造に使用される物質の膨張係数（例えばシリコンは４ｐｐｍ／℃であるのに対し、銅は１６ｐｐｍ／℃であり、アルミニウムは２４ｐｐｍ／℃である）間の差異に大きく起因して、半導体内に、機械的な歪を生じさせる。
【００５４】
多数の熱サイクル後に電気接点が受ける機械的歪の結果、前記接点に微小な亀裂が現れることで、損傷を受ける点もある。
【００５５】
本発明の目的は、変化を予測して、急激な温度変化を制限することにより、熱サイクルを最小にすることである。図７は、時間の関数とした、ＰＶ電力（ＰＰＶ）で太陽光発電を行う例を示す。例えば昼間には、電力の急激な減少が観察される。通常の動作では、前記システムは、ポイント１（高電力、３個の作動している変換器）からポイント２（低電力、単一の作動している変換器）へスイッチされる。従って２個の変換器が突然停止し、高いΔＴの熱サイクルが発生する。
【００５６】
本発明によると、３個の変換器は、ポイント２で動作し続ける。従って、電力が３個の電池内に分散するため、３個の変換器の温度は次第に減少する。前記電力がポイント２及び３の間で増加しないと、２個の変換器は遮断され、従って単一の変換器がポイント３で動作する。この原理により、ΔＴの範囲を、すなわち熱サイクルの程度を制限することができる。
【００５７】
前記安定化あるいは遅延時間ｔは、ポイント２及び３（又は異なったＣＳの組み合わせ）で３個のＣＳが作動する時間である。
【００５８】
この安定化あるいは遅延時間ｔは、システムのアルゴリズム中に固定するか、複数の基準に従って修正できる。
【００５９】
第１の基準は気象そのものである。気象条件は場所によって異なり、従って遅延時間は、ＰＶＧが設置される場所に応じて最適化できる。実際、ある気候では、雲が少なく（例えば地中海性気候）、逆に雲が多いこともある（例えば海洋性気候）。気象条件は、季節によって変化し、従って遅延時間は使用する月によって再度適用される。
【００６０】
実際に遭遇する気象条件に応じて、気象条件を分類し、かつ遅延時間の長さを選択する「インテリジェント」なソフトウエアを使用することも可能である。
【００６１】
第２の基準は、素子自身の挙動、特に電力と温度に応じたそれらの挙動である（特に、トランジスタ又はシステム全体）。前記安定化又は遅延時間ｔは、素子の温度に応じて調節できる。
【００６２】
有利な一態様では、前記システムは、ＣＳ交換ルーティンを組み入れて、単一のＣＳに連続的な応力を加えることを防止できる。実際、図３の変換器ＣＳ１１は、連続して接続され、従って変換する電流を連続的に受け取る。他のＣＳは、ＰＶ電力発生で生じる変化に応じて使用する。従ってＣＳ１１は連続して応力を受け、ＰＶ電力が変化する際に乗じる電力変化も受ける。従って素子の１つが連続して応力を受けるため、前記システムの信頼性は低下する。有利な態様では、使用するＣＳを交換する。
【００６３】
前記パネルで生成するＰＶ電力が変化する場合、又は変換器の状態に応じて、あるいは両者の場合に、交換を行う。ランダム割り当てコマンドを使用しても良い。
【００６４】
ある態様では、使用するＣＳの数が増加する際に、ＣＳ数を変化させる。例えばＣＳ１１が接続され、かつコマンドが２個のＣＳを使用することを決定すると、ＣＳ１２及び１３が使用され、ＣＳ１１は、最早接続されない。ＣＳの数が１ユニットに戻る際には、ＣＳ１１ではなく、ＣＳ１２（又はＣＳ１３）が接続され、ＣＳ１１は依然として接続されていない。３個のＣＳを接続しなければならないときには、１個又は２個のＣＳに戻る際に交換を行う。この場合、出発点は、ＣＳ１１が接続されている状況であり、次いで3個のＣＳが接続される。あるいは復元条件が2個のＣＳを要求すると、ＣＳ１２及び１３が接続され、あるいは復元条件が、1個のみのＣＳを要求すると、ＣＳ１２又は１３が接続される。
【００６５】
異なった態様では、ＣＳの変化はＣＳの使用のキャンセルにより生じる。この計算は、使用の長さに基づいて行われ、交換は、ある期間に亘って、全てのＣＳがほぼ等しい使用期間が確保されるように実行される。この期間は、１日でも、数日でも、１日の一部、例えば１又は2時間以上とすることができ、1日の中の時間、及び／又は季節に応じて決定できる。この態様では、使用しなければならないＣＳは、使用時間が少ないものである。前記計算は、使用期間とは別に、ＣＳの使用期間や応力よりむしろ、使用回数をカウントすることにより行われる。この場合、使用されなければならないＣＳは、少数回、応力を受けたものである。２種類の変数が組み合わせられた態様を予測することも可能である。
【００６６】
異なった態様では、交換をランダムに行い、ランダムな変換器を管理システムに導入することも可能である。ＣＳの数を増減させる場合、その選択は、ランダムに、必要に応じて「シャフル」モードで行う（このモードは、使用しているＣＳをランダム選択から除外するモードである）。
【００６７】
前記説明のように、使用しているＣＳ数の変化があるときに、ＣＳ交換を行う。勿論、使用するＣＳ数が一定である場合に、前記交換を行うことも可能である（最大数ではない限り）。気象上の条件から、１個のみのＣＳを使用する場合、このＣＳを当初は作動していないＣＳと交換し、1個のＣＳを所定期間以上、連続使用しないようにする。
【００６８】
使用する変換器の交換は、電力変化がある場合に能動素子が受ける熱的及び電気的応力を更に減少させる効果を有する。上述の通り、熱的変化は、半導体に機械的拘束を生じさせ、その結果、前記接点に微小な亀裂が現れ、損傷を受けることもある。ＣＳ交換の態様の目的は、熱的及び電気的応力を全ての変換器に分散させることである。
【００６９】
本発明の電子的管理システムは、例えばＰＶＧの素子の過熱を示すメッセージに続く、安全機能、変換器のシャットダウンの制御も含む。本発明の電子管理システムは、防犯機能も含む。本発明の管理システムは、電池群及び／又は変換器の操作条件に関する情報を、電子的ネットワークの制御センタに伝達する。これは、ＰＶＧのメンテナンスを容易にする。特に、メンテナンスの責任者は、太陽電池や変換器の群の故障に対して、より迅速に警告を発して、必要な対策を採ることができる。
【００７０】
本発明の管理システムは、全体又は一部を、太陽電池発電装置に組み入れることができる。
【００７１】
ある態様では、多接合太陽電池デバイスを使用することができる。その場合、異なった接合の電気的カップリグの問題を解決することが必要になる。多接合太陽電池デバイス、例えばタンデム接合デバイスは、該デバイスの太陽スペクトル吸収領域を増加させるように、単一接合を複数積層させた太陽電池デバイスを意味する。タンデム接合の太陽電池デバイスでは、良好な電気的変換出力が得られる。タンデム接合太陽電池デバイスの電気的カップリングの主要な不利益は、日射条件にかかわらず、タンデムを形成する太陽電池の性能の調和が必要なことである。前記タンデムの各電池の電流生成は、活性であるスペクトルの領域に従って自動的に異なるため、前記理想的なケースは、実現可能ではなく、日射条件に応じて変化する。これにより、タンデム接合太陽電池デバイスは、その最も弱い素子により、固有の限界が現れる。このタイプの電流限界は、タンデム接合太陽電池デバイスの理論的出力を大きく減少させる。１つの解決法は、タンデム接合太陽電池デバイスの接合を電気的にデカップリングさせることである。タンデムカップリング型の太陽電池は、依然として光学的にはカップリングするが、電気的にはデカップリングする。各接合は、2個の電極に接続されて、４電極−太陽電池デバイスが得られる（タンデムの場合）。前記変換器を、前記タンデムの各（少なくとも１個の）太陽電池に接続すると、前記システムにより、多接合太陽電池デバイスが得られる。このデバイスは、電気的にデカップリングされた太陽電池で動作し、各電池は、本発明の管理システムにより最適状態に管理されている。
【００７２】
以下の実施例は、本発明を限定するものではない。
【００７３】
［実施例］
本実施例では、本発明を適用した出力ロスについて、効果を測定する。
【００７４】
本発明の方法で得られるエネルギゲインを評価するために選択されたテストプレトコルは、同じ入力源（太陽シミュレータ）及び同じ多相電力カード（同じ電気素子の挙動）である。前記シミュレータは、同じ電力プロフィールの両ケースでの適用を可能にし（例えば、比較的晴れた日に、８５Ｗの電力ピークのモジュールを生産）、一方ＭＰＰは、同じＭＰＰＴコマンドを使用して得られる。このテストの間、負荷を接続した２４Ｖのバッテリを使用して、バッテリの公称電圧（２４Ｖ）が連続して保証されるようにした。図１０は、使用した測定システムを示す。
【００７５】
測定器具により、変換器の入力及び出力に存在する電流及び電圧を同時に測定する。これらの値は、前記シミュレータが供給するＰＶ電力（ＰＰＶ）及びバッテリ（ＰＢＡＴ）に伝達される電力、従って変換器（ＰＢＡＴ／ＰＰＶ）の出力を推測することを可能にする。時間変数（時で表した試験時間）を考慮して、生成されかつバッテリ（ＥＢＡＴ）に伝達されたＰＶエネルギ（ＥＰＶ）の量を計算する。
【００７６】
使用したしきい値は、通常のしきい値である１／３及び２／３とした。
【００７７】
シミュレータの電力プロフィールを図８に示す。
【００７８】
安定化時間ｔの値は、本実施例では、１０分に固定した。
【００７９】
図９ａ及び９ｂは、本発明のアルゴリズムを使用する場合、又は使用しない場合のＰin及びＰoutの値を示している。本発明の場合は、ＣＳ数が３から１に戻ると、出力に僅かなデカップリングが起こり、出力に関するゲインが生じる（低電力の場合、出力は単一ＣＳでより良好である）。
【００８０】
表１の結果が得られる。
【００８１】
【表１】
0006330122.tif 000002
【００８２】
表１から、本発明のアルゴリズムを使用すると、電力段の変換出力を、０．３％減少させられることが分かる。しかし、この減少は受容できる限度に留まっている。逆に、素子が耐えられるは熱的歪及び応力は最小になり、耐用年数は延びる。この収支は肯定的である。
【符号の説明】
【００８３】
ＣＳ  変換器（静電変換器）
ＭＰＰ  最大電力点
ＭＰＰＴ  最大電力点追従制御
ＰＶ  太陽電池
２  電池
３  ノンリターンダイオード
４  バイパスダイオード
６  ＭＰＰＴコマンド
８  変換器
１０  太陽電池ユニット
１１、１２、１３  静電変換器
１４  ＭＰＰＴコマンド
１５  バッテリ（負荷）
Ｐ１、Ｐ２  しきい値
Ｖｏｐｔ  最適電圧値
Ｖｉｎ  入力電圧
Ｖｏｕｔ  出力電圧
【図１】
0006330122.tif 000003
【図２】
0006330122.tif 000004
【図３】
0006330122.tif 000005
【図４】
0006330122.tif 000006
【図５】
0006330122.tif 000007
【図６ａ】
0006330122.tif 000008
【図６ｂ】
0006330122.tif 000009
【図７】
0006330122.tif 000010
【図８】
0006330122.tif 000011
【図９ａ】
0006330122.tif 000012
【図９ｂ】
0006330122.tif 000013
【図１０】
0006330122.tif 000014